(57)【要約】【課題】ワープロや表計算でディスプレー上の文章や表の文字を読み進める際に、文字間隔が小さかったり、行間が狭かったり、長い文章だったりする場合や、行数や欄数の多い表だったりした場合に、視線を同一行に維持することが困難な場合が発生する。【解決手段】本発明の目的は、パソコン画面の高解像度の文章や表の小さな文字を、ズームによりシート全体を拡大したり、文字拡大により文章や表の構成を変更することなく、文章や表の全体構成を表示したまま読取り行の文字のみを拡大することと、視線を同一行に維持することを容易にするツールを提供することにある。【選択図】図４
2005309761.tif 000002
【特許請求の範囲】
【請求項１】
ディスプレーに表示される文章や表の文字の読取りを容易にするディスプレー用文字拡大機能付き行指示ツールであって、本ツールをディスプレー上の任意の位置に置く手段と、読取り対象行を１行から複数行まで選べる手段と、実行読取り行を読取り対象行の中から選べる手段と、このツールをディスプレー上の一定位置に固定するか、ディスプレーに表示されている文章や表の任意の位置に固定するかを選択する手段と、選択した読取り対象行以外は、暗い色の半透明フィルターを掛けた状態にして読取り対象行をフォーカスする手段と、実行読み取り行以外の読取り対象行は、明るい色の半透明フィルターを掛けた状態にして実行読み取り行をフォーカスする手段を持つことを特徴とするディスプレー用文字拡大機能付き行指示ツール。
【請求項２】
請求項１に記載のディスプレー用文字拡大機能付き行指示ツールは、請求項１に記載の実行読取り行の文字をツール内に拡大して表示する手段を持つことを特徴とするディスプレー用文字拡大機能付き行指示ツール。
【請求項３】
請求項１に記載のディスプレー用文字拡大機能付き行指示ツールは、本ツールによって選ばれた読取り対象行以外のディスプレー領域の輝度を任意の輝度に下げるたり戻したりする手段を持つことを特徴とするディスプレー用文字拡大機能付き行指示ツール。
【発明の詳細な説明】
【技術分野】
【０００１】
本発明は、パソコン全般の文字読取り技術とモバイルとして使用されるノートパソコンの電池寿命を改善する技術に属する。
【背景技術】
【０００２】
技術革新によりパソコンの画面解像度は高くなり一度に表示される情報量も多くなってきたが、その反面表示される文字サイズは益々小さくなり画面に表示される情報の読取が難しくなってきている。
【０００３】
また、液晶の大画面や高解像度に伴いバックライトの消費電力も増大し、またモバイルパソコンでは電池寿命への影響が大きい。
【非特許文献１】内田  龍男（著）内池  平樹（著）「フラットパネルディスプレイ大事典」
【発明の開示】
【発明が解決しようとする課題】
【０００４】
ワープロや表計算でディスプレー上の文章や表の文字を読み進める際に、文字間隔が小さかったり、行間が狭かったり、長い文章だったりする場合や、行数や欄数の多い表だったりした場合に、視線を同一行に維持することが困難な場合が発生する。
【０００５】
本発明の目的は、パソコン画面の高解像度の文章や表の小さな文字を、ズームによりシート全体を拡大したり、文字拡大により文章や表の構成を変更することなく、文章や表の全体構成を表示したまま読取り行の文字のみを拡大することと、視線を同一行に維持することを容易にするツールを提供することにある。
【課題を解決するための手段】
【０００６】
本発明のディスプレー用文字拡大機能付き行指示ツールは、本ツールをディスプレー上の任意の位置に置く手段と、読取り対象行を１行から複数行まで選べる手段と、実行読取り行を読取り対象行の中から選べる手段と、このツールをディスプレー上の一定位置に固定するか、ディスプレーに表示されている文章や表の任意の位置に固定するかを選択する手段と、選択した読取り対象行以外は、暗い色の半透明フィルターを掛けた状態にして読取り対象行をフォーカスする手段と、実行読み取り行以外の読取り対象行は、明るい色の半透明フィルターを掛けた状態にして実行読み取り行をフォーカスする手段を備えるものである。
【０００７】
また、本発明のディスプレー用文字拡大機能付き行指示ツールは、前項に記載の実行読取り行の文字をツール内に拡大して表示する手段を備えるものである。
【０００８】
また、本発明のディスプレー用文字拡大機能付き行指示ツールは、本ツールによって選ばれた読取り対象行以外のディスプレー領域の輝度を任意の輝度に下げるたり戻したりする手段を備えるものである。
【発明の効果】
【０００９】
請求項１の記載によれば、ディスプレーに表示される文章や表の文字の読取りを容易にするディスプレー用文字拡大機能付き行指示ツールは、本ツールをディスプレー上の任意の位置に置く手段と、読取り対象行を１行から複数行まで選べる手段と、実行読取り行を読取り対象行の中から選べる手段と、このツールをディスプレー上の一定位置に固定するか、ディスプレーに表示されている文章や表の任意の位置に固定するかを選択する手段と、選択した読取り対象行以外は、暗い色の半透明フィルターを掛けた状態にして読取り対象行をフォーカスする手段と、実行読み取り行以外の読取り対象行は、明るい色の半透明フィルターを掛けた状態にして実行読み取り行をフォーカスする手段を持つことにより、ディスプレー上の文章や表の文字を読み進める際の視線の同一行の維持を容易にすることが出来る。
【００１０】
請求項２の記載によれば、請求項１に記載のディスプレー用文字拡大機能付き行指示ツールは、請求項１に記載の実行読取り行の文字をツール内に拡大して表示する手段を持つことにより、高解像度のディスプレーに表示された文章や表の小さな文字の読取を容易にすることが出来る。
【００１１】
請求項３の記載によれば、請求項１に記載のディスプレー用文字拡大機能付き行指示ツールは、本ツールによって選ばれた読取り対象行以外のディスプレー領域の輝度を任意の輝度に下げるたり戻したりする手段を持つことにより、液晶ディスプレーのバックライト表示を数ブロックに分割し、各ブロック単位に任意に調光できる構造としたパソコン等で使用すれば、電池寿命を延ばすことができる。
【実施例１】
【００１２】
図５は、表計算でディスプレー用文字拡大機能付き行指示ツールを使用した場合の使用例であり、表の自動車等関係の「１８  自動車（新車）」から「２３  自動車整備費」までの６行を読取り対象行とし、読取り対象行の４行目を読むと想定し以下順を追って説明すると。
【００１３】
図１の「１．ディスプレー用文字拡大機能付き行指示ツール」を「２３  自動車整備費」行を指す位置に置く。
【００１４】
図１の「３．読取り対象行数設定表示」を６に設定する。
【００１５】
図１の「４．実行読取り行設定表示」を４に設定する。
【００１６】
図１の「５．ツール固定方法」は、アプリケーションページ固定（文章や表の任意の位置に固定）を設定する。
【００１７】
ここで、「３．読取り対象行数設定表示」と「４．実行読取り行設定表示」の初期値及び、「５．ツール固定方法」の初期状態は「７．その他」のオプション機能により任意に設定できる。
【００１８】
図１の「２．実行読取り行拡大表示部」に実行読取り行の文字が欄対応で拡大表示される。
【００１９】
ここで、「２．実行読取り行拡大表示部」の表示は、拡大された文字が重ならないようにセルに左詰で３段に分け、１段目、２段目、３段目、１段目、２段目・・・と順次表示する方法を取る。
【００２０】
実行読取り行を変えたいときは、「４．実行読取り行設定表示」を目的の行に変更する。
【００２１】
読取り対象行を変えたいときは、「１．ディスプレー用文字拡大機能付き行指示ツール」を目的の位置へドラッグする。
【００２２】
ここで、液晶ディスプレーのバックライト表示を数ブロックに分割し、各ブロック単位に任意に調光できる構造としたパソコン等で使用する場合、図１の「６．輝度設定」でＬＢ（輝度下げ）スイッチをＯＮすることにより、読取り対象行以外の表示が予め設定された輝度に落ち、電池寿命を延ばすことができる。
【００２３】
ここで、「６．輝度設定」のＬＢ（輝度下げ）の輝度は、「７．その他」のオプション機能により任意に設定できる。
【実施例２】
【００２４】
図６は、文章の読取でディスプレー用文字拡大機能付き行指示ツールを使用した場合の使用例であり、文章の２行を読取り対象行とし、読取り対象行の１行目を読むと想定し以下順を追って説明すると。
【００２５】
図２の「１．ディスプレー用文字拡大機能付き行指示ツール」を文章の２行目を指す位置に置く。
【００２６】
図２の「３．読取り対象行数設定表示」を２に設定する。
【００２７】
図２の「４．実行読取り行設定表示」を１に設定する。
【００２８】
図２の「５．ツール固定方法」は、アプリケーションページ固定（文章や表の任意の位置に固定）を設定する。
【００２９】
ここで、「３．読取り対象行数設定表示」と「４．実行読取り行設定表示」の初期値及び、「５．ツール固定方法」の初期状態は「７．その他」のオプション機能により任意に設定できる。
【００３０】
図２の「２．実行読取り行拡大表示部」に実行読取り行の文字が拡大表示される。
【００３１】
ここで、「２．実行読取り行拡大表示部」の表示は、拡大された文字を表示枠内の上、左詰、２段内で表示する方法を取る。
【００３２】
実行読取り行を変えたいときは、「４．実行読取り行設定表示」を目的の行に変更する。
【００３３】
読取り対象行を変えたいときは、「１．ディスプレー用文字拡大機能付き行指示ツール」を目的の位置へドラッグする。
【００３４】
ここで、液晶ディスプレーのバックライト表示を数ブロックに分割し、各ブロック単位に任意に調光できる構造としたパソコン等で使用する場合、図２の「６．輝度設定」でＬＢ（輝度下げ）スイッチをＯＮすることにより、読取り対象行以外の表示が予め設定された輝度に落ち、電池寿命を延ばすことができる。
【００３５】
ここで、「６．輝度設定」のＬＢ（輝度下げ）の輝度は、「７．その他」のオプション機能により任意に設定できる。  
【産業上の利用可能性】
【００３６】
高解像度の液晶ディスプレーを持ったパソコンで広く使用できる。
【図面の簡単な説明】
【００３７】
【図１】表計算アプリケーション用のディスプレー用文字拡大機能付き行指示ツール
【図２】文章取扱いアプリケーション用のディスプレー用文字拡大機能付き行指示ツール
【図３】ファンクションキー
【図４】表計算アプリケーションの実施例
【図５】文章取扱いアプリケーションの実施例
【符号の説明】
【００３８】
１．ディスプレー用文字拡大機能付き行指示ツール
２．実行読取り行拡大表示部
３．読取り対象行数設定表示
４．実行読取り行設定表示
５．ツール固定方法
６．輝度設定
７．その他
【図１】
2005309761.tif 000003
【図２】
2005309761.tif 000004
【図３】
2005309761.tif 000005
【図４】
2005309761.tif 000006
【図５】
2005309761.tif 000007